(57)【特許請求の範囲】
【請求項１】
両側に口金を備え、ランプ軸方向に延びた円柱部と、前記円柱部の先端部に設けられ、ランプ軸方向に直交する楕円形状の平板である楕円部とを備える１極のランプピンを一方の口金に備えた直管形ランプを装着するソケットにおいて、
前面部と後面部と側面部とを備え、前記前面部に形成された１つの通過孔であって、前記楕円部の楕円形と略同一形状であると共に楕円形の長径が上下方向に沿うように形成され、前記楕円部の長径を前記通過孔の長径に合わせた場合に前記楕円部を通過させる通過孔を備えるソケット本体と、
前記ソケット本体の内部に設けられ、前記通過孔を通過した前記楕円部が９０度回転した場合に前記楕円部を挟持する一対の金具と、
前記側面部から前記後面部の側に突き出したガイド部であって、前記ソケット本体の前後方向への移動をガイドするガイド部と、
前記後面部に配置され、前記ガイド部の先端を通過させる貫通孔が形成された弾性体と、
前記ガイド部の先端に設けられ、前記弾性体が前記ソケット本体から外れないように前記貫通孔の周縁に引っ掛けられる爪部と
を備えることを特徴とするソケット。
【請求項２】
前記ソケット本体は、
前記楕円部の長径を前記通過孔の長径に合わせた場合にのみ前記楕円部を通過させることを特徴とする請求項１に記載のソケット。
【請求項３】
前記ソケットは、取付孔のある取付面部に取り付けられ、
前記ガイド部は、前記取付面部の前記取付孔に挿入され、前記ソケット本体の前後方向への移動をガイドし、
前記直管形ランプは、
前記ランプピンの根元の周囲に形成された平面状の当接部を備え、
前記ソケット本体は、
前記当接部が前記前面部に当接しながら前記前面部を前記後面部の方向へ押すことにより、前記前面部に対して前記後面部の方向への押力が与えられ、前記押力が与えられると、前記ガイド部にガイドされながら前記取付面部の方向に移動し、前記押力が解除されると、前記弾性体により前記後面部を前記取付面部から離す力が与えられるとともに、前記爪部が前記取付孔の周縁に引っ掛けられることにより所定の位置に位置決めされることを特徴とする請求項１または２に記載のソケット。
【請求項４】
前記弾性体は、板バネであって、前記後面部に取り付けられる中心部と、前記中心部から前記取付面部に向かって広がるように形成される両側の付勢部とを備える板バネであり、前記両側の付勢部の各付勢部の先端が前記取付面部と当接することにより、前記後面部を前記取付面部から離す力を与えることを特徴とする請求項３に記載のソケット。
【請求項５】
前記ソケット本体は、前記通過孔が前記直管形ランプの他方の口金から突出する給電のための一対の給電ピンを挿入できない大きさに形成されることを特徴とする請求項１から４のいずれかに記載のソケット。
【請求項６】
請求項１から５のいずれかに記載のソケットと、
前記ソケットが取り付けられる取付面部を備える器具本体と、
前記ソケットに装着される直管形ランプに電力を供給する電源装置とを備えることを特徴とする照明器具。
【発明の詳細な説明】
【技術分野】
【０００１】
本発明は、例えば、直管形ランプの口金を取り付けるソケット及び照明器具に関する。
【背景技術】
【０００２】
昨今、直管蛍光灯ランプの代替として直管形ＬＥＤランプが販売されているが、口金として従来の直管蛍光灯ランプと同じＧ１３口金が採用されているものが多い。そのため従来の蛍光灯用照明器具に取り付けることが可能となる。しかし、直管形ＬＥＤランプは、使用可能（取付可能）な照明器具が指定されているものが多い（例えば、電子安定器用、グロー安定器用など）。したがって、使用可能でない照明器具にユーザーが間違って直管形ＬＥＤランプを取り付ける可能性があり、取り付けた直管形ＬＥＤランプや安定器が故障する恐れがある。
【０００３】
このような間違いを防ぐために、従来のＧ１３口金とは異なる新規な口金を備えた直管形ＬＥＤランプ用口金の規格が公知である（ＪＥＬ９０７）。
【０００４】
従来、直管蛍光灯ランプを使用する照明器具について、直管蛍光灯ランプのランプ長のバラツキに対応するため、ランプ口金と当接するソケットの受部は、当接方向に可動し、ランプ口金をソケット内部に収納する構造を備えたソケットがある（例えば、特許文献１）。
【０００５】
また他の方法としてソケット後面にバネを配設し、ランプの全長を吸収できるソケットがある（例えば、特許文献２）。
【０００６】
特許文献１と特許文献２は、ソケット間の寸法はランプの全長よりも短くなるように配置され、ランプの全長を吸収する構造となっている。
【先行技術文献】
【特許文献】
【０００７】
【特許文献１】特開平９−２２３５５４号（２頁左欄４８行目〜右欄３０行目）
【特許文献２】特開平１０−６９８１１号（２頁左欄４３行目〜右欄２８行目）
【発明の概要】
【発明が解決しようとする課題】
【０００８】
特許文献１では、ランプ装着後、ランプ口金端部の一部はソケット内部に収納されるため落下することはないが、ソケット内部に口金が収納するための空間が必要であり、ソケットが大型となることでコストの増加と意匠面で劣るという課題がある。
【０００９】
特許文献２では、ランプをソケットのランプ口金当接部と垂直方向から挿入し、ソケット後面にあるバネを収縮するため、ソケットの可動方向である当接方向へ直接に力が加わらず、余計な力が必要となる。またランプは９０°回転させて点灯させるが、回転不足の不具合や振動などにより、ランプが回転し、落下する恐れもある。
【００１０】
本発明は、上記のような課題を解決するためになされたもので、ランプの全長のバラツキを吸収し、ソケットの小型化とランプを挿入し易い構造を備えることを目的とする。
【課題を解決するための手段】
【００１１】
本発明にかかるソケットによれば、取付孔のある取付面に取り付けられるソケットであって、両側に口金を備える直管形ランプの一方の口金を装着するソケットにおいて、前面と後面と側面とを備え、前記直管形ランプの前記一方の口金から突出する１極の接地ピンの先端部を通過させる１つの通過孔を前記前面に備えるソケット本体と、前記側面から前記後面側に突き出したガイド部であって、前記取付面の前記取付孔に挿入され、前記ソケット本体の前後方向への移動をガイドするガイド部と、前記ガイド部の先端に設けられ、前記ガイド部が前記取付孔から抜けないように前記取付孔の周縁に引っ掛けられる爪部と、前記後面に配置された弾性体とを備えることを特徴とする。
【発明の効果】
【００１２】
本発明にかかるソケットによれば、取付孔のある取付面に取り付けられるソケットであって、両側に口金を備える直管形ランプの一方の口金を装着するソケットにおいて、前面と後面と側面とを備え、前記直管形ランプの前記一方の口金から突出する１極の接地ピンの先端部を通過させる１つの通過孔を前記前面に備えるソケット本体と、前記側面から前記後面側に突き出したガイド部であって、前記取付面の前記取付孔に挿入され、前記ソケット本体の前後方向への移動をガイドするガイド部と、前記ガイド部の先端に設けられ、前記ガイド部が前記取付孔から抜けないように前記取付孔の周縁に引っ掛けられる爪部と、前記後面に配置された弾性体とを備えるので、直管形ランプのランプ長のバラツキを吸収し、ソケットを小型化に出来ると共に、ランプを挿入し易く、ランプが落下し難い効果を図ることができる。
【図面の簡単な説明】
【００１３】
【図１】実施の形態１の照明器具１０を示す斜視図である。
【図２】実施の形態１に係る直管形ＬＥＤランプ２０の斜視図であり、（ａ）は直管形ＬＥＤランプ２０の全体斜視図、（ｂ）は接地側口金２１の部分拡大斜視図、（ｃ）は給電側口金２４の部分拡大斜視図である。
【図３】実施の形態１に係る接地側ソケット３０の分解斜視図である。
【図４】実施の形態１に係る接地側ソケット３０の斜視図であり、（ａ）は接地側ソケット３０を前面側から見た斜視図、（ｂ）は接地側ソケット３０を後面側から見た斜視図、（ｃ）は接地側ソケット３０の底面図である。
【図５】実施の形態１に係る接地側ソケット３０を器具本体１１の取付面１４に取り付ける取り付け方法について示す図であり、（ａ）は接地側ソケット３０を取付面１４に取り付ける前の状態を示す図であり、（ｂ）は接地側ソケット３０を取付面１４に取り付けた状態を示す図である。
【図６】実施の形態１に係る給電側ソケット７０の斜視図であり、（ａ）は前面側から見た斜視図であり、（ｂ）は後面側から見た斜視図である。
【図７】実施の形態１に係る給電側ソケット７０の分解斜視図である。
【図８】実施の形態１に係る接地側ソケット３０に直管形ＬＥＤランプ２０の接地側口金２１を取り付ける取り付け方法を示す図であり、（ａ）は接地側口金２１を取り付ける前の状態を示す図であり、（ｂ）は接地側口金２１を取り付けた状態を示す図である。
【図９】実施の形態２に係る接地側ソケット１０１の分解斜視図である。
【発明を実施するための形態】
【００１４】
実施の形態１．
図１は、本実施の形態に係る照明器具１０の斜視図である。図２は、本実施の形態に係る直管形ＬＥＤランプ２０の斜視図であり、（ａ）は直管形ＬＥＤランプ２０の全体斜視図、（ｂ）は接地側口金２１の部分拡大斜視図、（ｃ）は給電側口金２４の部分拡大斜視図である。
【００１５】
図１及び図２を用いて、本実施の形態に係る照明器具１０及び直管形ＬＥＤランプ２０の全体構成について説明する。
【００１６】
図１に示すように、照明器具１０は、器具本体１１と、直管形ＬＥＤランプ２０と、反射部１２とを備える。図１では、２本の直管形ＬＥＤランプ２０を装着することができる照明器具１０を示しているが、１本装着用、３本装着用、４本装着用、その他直管形ＬＥＤランプ２０を装着することができる照明器具であればよい。
【００１７】
照明器具１０に装着される直管形ＬＥＤランプ２０について図２を用いて説明する。図２（ａ）に示すように、直管形ＬＥＤランプ２０は、両側に端部を備え、一方の端部に接地のための口金である接地側口金２１を備えるとともに、他方の端部に給電のための給電側口金２４を備える。
【００１８】
直管形ＬＥＤランプ２０は、円筒形のケース２０ａを備え、ケース２０ａの内部には長形のＬＥＤモジュール（図示なし）が収納されている。
【００１９】
本実施の形態に係る直管形ＬＥＤランプ２０は、１つのランプで３極の電極を持ち、２種類の口金形状を供えた直管形ＬＥＤランプである。
【００２０】
直管形ＬＥＤランプの口金には、直管蛍光灯の口金Ｇ１３を使用したものがある。本実施の形態に係る直管形ＬＥＤランプ２０は、口金Ｇ１３を使用した直管形ＬＥＤランプとは異なり、円筒状（円筒形状）のケース２０ａ（発光部）と、このケース２０ａの長手方向の一端に設けられる接地側口金２１と、同じくケース２０ａの長手方向の他端側に設けられる給電側口金２４とを備える。
【００２１】
図２（ｂ）に示すように、接地側口金２１は、口金（直管形ＬＥＤランプ２０の一端部の接地側受金当接部２２）の中心に１極の電極である接地ピン２３（導電ピン）を備える。接地ピン２３は、ランプ軸方向に延びた円柱である円柱部２３ａと、楕円部２３ｂとで構成される。円柱部２３ａは、接地側受金当接部２２の略中心から突き出した円柱であり、先端部に楕円柱である楕円部２３ｂを備える。接地ピン２３は、直管形ＬＥＤランプ２０の金属部分と照明器具１０と接続して接地させることを目的とする。
【００２２】
楕円部２３ｂの短径は、円柱部２３ａの断面の円の直径より大きくなっている。楕円部２３ｂは、円柱部２３ａの断面よりも大きいので、円柱部２３ａの外周から突出するように設けられている。また接地ピン２３は、直管形ＬＥＤランプ２０の充電部でない触れることの出来る金属部、例えばＬＥＤモジュールの放熱フィンなどと接続されている。
【００２３】
図２（ｃ）に示すように、給電側口金２４は、給電側受金当接部２５からランプ軸方向へ延びている２極の電極である一対の給電ピン２６を備えている。給電ピン２６は、給電側受金当接部２５の面上に設けられた一対のＬ字形の導電ピンであり、ランプ軸方向へ延びる軸部２６ａと、軸部２６ａの先端部から垂直に延びる抜け止め部２６ｂとを備える。
【００２４】
給電ピン２６は、照明器具１０の備える電源装置に接続され、直管形ＬＥＤランプ２０の内部に収納されているＬＥＤモジュールに電力を供給する。給電ピン２６は、直管形ＬＥＤランプに給電することを目的としたものである。
【００２５】
図２（ａ）に示すように、接地側受金当接部２２と給電側受金当接部２５間の長さは、ランプの全長であり、以下ランプ長Ｌとする。
【００２６】
図３は、本実施の形態に係る接地側ソケット３０の分解斜視図である。図４は、本実施の形態に係る接地側ソケット３０の斜視図であり、（ａ）は接地側ソケット３０を前面側から見た斜視図、（ｂ）は接地側ソケット３０を後面側から見た斜視図、（ｃ）は接地側ソケット３０の底面図である。
【００２７】
図３〜図４を用いて、本実施の形態に係る接地側ソケット３０の構造について説明する。
【００２８】
図３に示すように、接地側ソケット３０は、本体３９と、この本体３９に収納される一対の接地金具５０（一対の接触片）と、本体３９の後面を塞ぐ裏蓋３５と、この裏蓋３５の外面に取り付けられるバネ４０（弾性体）とを備える。また、図４に示すように、本体３９と裏蓋３５が結合されて接地側ソケット３０の外郭であるソケット本体３８を形成する。
【００２９】
以下、説明を簡単にするため、図４（ａ）に示すように、接地側ソケット３０において、ランプを装着した際の照射方向を上側、非照射方向を下側とする。
【００３０】
本体３９は、熱可塑性樹脂の絶縁材、例えば、ポリカーボネイドやポリブチレンテレフタレートなどで形成される。本体３９は、前面３９ａ、側面３１ｂ，３１ｃ、上面３１ｄ、底面３１ｅを備える。
【００３１】
前面３９ａには、直管形ＬＥＤランプ２０の接地ピン２３を挿入する接地ピン挿入孔３２（通過孔）を備える。接地ピン挿入孔３２は、接地ピン２３の楕円部２３ｂの先端面の楕円形状と略同一であり、接地ピン２３は挿入時に楕円部２３ｂの先端面の楕円形状を接地ピン挿入孔３２の楕円形状に合わせて挿入しなければ挿入できないように形成される。また、接地ピン挿入孔３２は、一対の給電ピン２６を挿入できない大きさに形成される。これにより、接地側ソケット３０に一対の給電ピン２６を誤挿入することができなくなり、取付時の安全性が向上する。
【００３２】
上面３１ｄは、凸状（ドーム状）の曲面となっている。前面３９ａに対向する面は開口している。この開口を塞ぐように裏蓋３５が取り付けられる。図４（ｂ）に示すように、裏蓋３５の後面３５ａには、後述するバネ４０を取り付けるための突起部３７が設けられる。
【００３３】
図３又は図４に示すように、側面３１ｂ，３１ｃには、接地側ソケット３０を器具本体１１の取付面１４に取り付けるための取付足３３ｂ，３３ｃ（ガイド部）を備える。取付足３３ｂ，３３ｃ（取付足３３ともいう）は、側面３１ｂ、３１ｃ（側面３１ともいう）から後面３５ａ側に突出した一対の取付足である。取付足３３（３３ｂ，３３ｃ）（ガイド部）は、側面３１ｂ、３１ｃから後面３５ａ側に突き出した棒状のガイド部であって、取付面１４に形成される取付孔１３（１３ｂ，１３ｃ）（図５参照）に挿入され、接地側ソケット３０（本体３９）を前後方向にガイドする。取付足３３（３３ｂ，３３ｃ）の先端には、取付足３３（３３ｂ，３３ｃ）が取付孔１３（１３ｂ，１３ｃ）から抜けないように取付孔１３の周縁に引っ掛けられる爪部３４（３４ｂ，３４ｃ）を備える。
【００３４】
裏蓋３５は、熱可塑性樹脂の絶縁材、例えば、ポリカーボネイドやポリブチレンテレフタレートなどで形成される。裏蓋３５は、本体３９と嵌合する引っ掛け受部３６ａと引っ掛け爪３６ｂを備え、後面側には後述するバネ４０を取り付けるための突起部３７を備える。また本体３９は、裏蓋３５の引っ掛け受部３６ａに相対する位置に、引っ掛け受部３６ａに嵌合する嵌合部（図示なし）を備える。また本体３９の底面３１ｅには、裏蓋３５の引っ掛け爪３６ｂに相対する位置に、引っ掛け爪３６ｂに嵌合する爪係合部３６ｃ（図４（ｃ）参照）を備える。
【００３５】
一対の接地金具５０（５０ａ，５０ｂ）（一対の接触片）は、本体３９の内部（ソケット本体３８（図４参照）の内部）に収納される。本実施の形態では一対の接地金具５０（５０ａ，５０ｂ）としたが、接地金具５０は一体成形でもよい。
【００３６】
一対の接地金具５０の各接地金具５０ａ，５０ｂは、接地ピン保持部５２ａ，５２ｂ（接触部）、速結端子５１ａ，５１ｂを備える。接地ピン保持部５２ａ，５２ｂは、接地ピン挿入孔３２に挿入された接地ピン２３の先端部（楕円部２３ｂ（突起部））を挟み込んで保持するとともに、接地ピン２３と電気的に接続される。
【００３７】
図４（ｃ）に示すように、接地側ソケット３０の底面３１ｅには、電線が挿入される電線挿入孔３６ｄを備える。また、図３に示す裏蓋３５の内面の下側に設けられた引っ掛け爪３６ｂと係合する爪係合部３６ｃを備える。
【００３８】
接地金具５０（一対の接地金具５０の各接地金具５０ａ，５０ｂ）は、電線挿入孔３６ｄから本体３９の内部に挿入される電線（アース線）と接続される速結端子５１（５１ａ，５１ｂ）を下側に備える。速結端子５１ａ，５１ｂは、接地金具５０の下側の端部に本体３９の底面３１ｅの内側の面に沿うように形成され、電線挿入孔３６ｄから本体３９の内部に挿入される電線を物理的及び電気的に結線する。
【００３９】
電線挿入孔３６ｄに挿入された電線は、接地金具５０の速結端子５１と接続される。つまり、接地金具５０は、接地側ソケット３０の底面にある電線挿入孔３６ｄから挿入される図示しない電線と接続され、接地ピン挿入孔３２から挿入される直管形ＬＥＤランプ２０の接地側口金２１（接地ピン２３）と接続されるとともに、器具本体１１の接地部と繋がる。これにより、直管形ＬＥＤランプ２０の充電部でないが触れる事のできる金属部は、接地ピン２３を介して接地される。
【００４０】
バネ４０（弾性体）は、バネ性（弾力性）が有り、錆難い金属、例えば、ステンレスなどで成形される長形の板バネである。図３に示すように、バネ４０は、接地側ソケット３０の後面３５ａに取り付けられる中心部４３と、中心部４３から取付面１４に向かって広がるように形成される両側の付勢部４４とを備える板バネである。
【００４１】
図４（ｂ）に示すように、バネ４０は、中心部４３が後面３５ａに当接する平面となっている。バネ４０の中心部４３の略中央に、裏蓋３５の後面３５ａに設けられた突起部３７と係合するカバー取付孔４１を備える。また、バネ４０の両側に端部４５近傍には、本体３９の取付足３３の爪部３４に相対した位置に形成された一対の足貫通孔４２を備え、本体３９とバネ４０とを嵌合する構造を有する。
【００４２】
図４（ｃ）に示すように、バネ４０の両側の端部４５間の幅Ｌ５は、後面３５ａの幅Ｌ６よりも長い。したがって、バネ４０の両側の端部４５は、後面３５ａの両側の側部からはみ出している部分が存在する。この後面３５ａの幅Ｌ６（両側の側部）から外側にはみ出している部分に、取付足３３ｂ，３３ｃを貫通させる足貫通孔４２を備える。つまり、バネ４０は、両側に端部４５近傍に足貫通孔４２を備える。これにより、ランプ取り付け時の振動などにより、バネ４０が接地側ソケット３０から外れてしまったり、落下してしまったりするのを防止することができる。
【００４３】
図５は、接地側ソケット３０を器具本体１１の取付面１４に取り付ける取り付け方法について示す図であり、（ａ）は接地側ソケット３０を取付面１４に取り付ける前の状態を示す図であり、（ｂ）は接地側ソケット３０を取付面１４に取り付けた状態を示す図である。図５では、爪係合部３６ｃは省略している。
【００４４】
図５（ａ）に示すように、器具本体１１の取付面１４には、取付足３３ｂ，３３ｃに対応する位置に取付孔１３ｂ，１３ｃが形成される。接地側ソケット３０を取り付ける作業者は、取付足３３ｂ，３３ｃを指等でつまんで、取付足３３ｂ，３３ｃに対して内側（Ｐ３側）に力を加えながら、取付足３３ｂ，３３ｃを取付孔１３ｂ，１３ｃに挿入する。
【００４５】
図５（ｂ）に示すように、作業者が、取付足３３の先端部にある爪部３４を取付孔１３に貫通させて指を離すと、取付足３３は外側（Ｐ４側）に広がりもとの位置（形状）に戻る。これにより、取付孔１３の周縁に爪部３４が引っ掛かかり、取付足３３が取付孔１３から抜けることがない。
【００４６】
また、図５（ｂ）に示すように、ソケット本体３８の後面３５ａには、バネ４０により前記後面３５ａを前記取付面１４から離す力（Ｐ５）が与えられるとともに、前記爪部３４が前記取付孔１３の周縁に引っ掛けられることにより所定の位置（図５（ｂ）に示す位置）に位置決めされる。つまり、接地側ソケット３０は、前後方向に移動可能に構成されているが、何も取り付けられていない状態では、所定の位置（図５（ｂ）に示す位置）に安定的に位置することができ、意匠性がよい。
【００４７】
図６は、実施の形態１に係る給電側ソケット７０の斜視図であり、（ａ）は前面側から見た斜視図であり、（ｂ）は後面側から見た斜視図である。図７は、実施の形態１に係る給電側ソケット７０の分解斜視図である。図６及び図７を用いて給電側ソケット７０の全体構成について説明する。
【００４８】
図６及び図７に示すように、給電側ソケット７０は、本体７５と、本体７５の側面から裏蓋７６側に突き出した一対の取付足７７と、ランプ保持部７１と、前面上側からランプ保持部７１まで延びる給電ピン挿入溝７２と、一対の導電金具７３と、裏蓋７６とを備える。裏蓋７６の内面には、本体７５の底面に形成された爪係合部７６ｃと係合する引っ掛け爪７６ｂが設けられる。
【００４９】
給電側ソケット７０は、熱可塑性樹脂の絶縁材、例えば、ポリカーボネイドやポリブチレンテレフタレートなどで形成される。給電側ソケット７０は、前面上側からランプ保持部７１まで延びる給電ピン挿入溝７２を備え、直管形ＬＥＤランプ２０の給電側口金２４が着脱自在である。
【００５０】
また給電側ソケット７０は、内部に一対の導電金具７３が配設され、接地側ソケット３０と同様に導電金具７３は速結端子７８を備え、給電側ソケット７０の底面側に電線挿入孔７４を備える。電線挿入孔７４から挿入された電線は、前記速結端子７８に接続される。つまり前記導電金具７３は図示しない電線と接続され、電子安定器などの電源出力部（電源装置）と繋がる。また給電ピン挿入溝７２から挿入され、ランプ保持部７１にて９０°直管形ＬＥＤランプ２０を回転させることで、直管形ＬＥＤランプ２０と電子安定器などの電源出力部（電源装置）とが接続されて、電力が供給される。
【００５１】
図８は、接地側ソケット３０に直管形ＬＥＤランプ２０の接地側口金２１を取り付ける取り付け方法を示す図であり、（ａ）は接地側口金２１を取り付ける前の状態を示す図であり、（ｂ）は接地側口金２１を取り付けた状態を示す図である。図８を用いて、直管形ＬＥＤランプ２０を器具本体１１に装着する方法を説明する。
【００５２】
接地側ソケット３０の前面と給電側ソケット７０の前面とは、対向するように器具本体１１に取り付けられる。器具本体１１に取り付けられた接地側ソケット３０の前面と給電側ソケット７０の前面との間の距離は、直管形ＬＥＤランプ２０のランプ長Ｌよりもやや短くなるように配設される。そのため、直管形ＬＥＤランプ２０を器具本体１１に装着するには、接地側口金２１を接地側ソケット３０の前面３９ａに当接させ、取付面１４の方向（ランプの当接方向、Ｐ１の方向）に押し付けながら、接地ピン２３を接地ピン挿入孔３２に挿入する。
【００５３】
（１）接地側口金２１を接地側ソケット３０に取り付ける工程
接地側ソケット３０の前面３９ａの接地ピン挿入孔３２の楕円形状に、接地ピン２３の楕円部２３ｂの楕円形の端面形状（図２（ｂ）参照）の短径・長径を合わせて、接地ピン挿入孔３２（図３参照）に接地ピン２３を挿入する（図８（ａ）参照）。そして、接地側口金２１の接地側受金当接部２２と、接地側ソケット３０の前面３９ａとを当接させ、接地側口金２１の接地側受金当接部２２で接地側ソケット３０の前面３９ａをＰ１方向に押し込みながら直管形ＬＥＤランプ２０を接地側ソケット３０に取り付ける。
【００５４】
これにより、直管形ＬＥＤランプ２０を挿入するＰ１方向に押す力と、バネ４０を収縮するためのＰ１方向の力とがほぼ同じ方向であり、等しくなるため、余分な力を加えることなく、直管形ＬＥＤランプ２０を接地側ソケット３０に挿入することができる。
【００５５】
直管形ＬＥＤランプ２０は器具本体１１の接地部（図示なし）と接続された接地側ソケット３０とが接続されることとなり、万一時でも感電する恐れはない。また接地ピン２３は接地側ソケット３０の接地ピン挿入孔３２から内部に入り込むため落下し難い。
【００５６】
（２）給電側口金２４を給電側ソケット７０に取り付ける工程
接地側口金２１が接地側ソケット３０をＰ１の方向に押し付けた状態で、給電側口金２４の給電ピン２６を照射方向側（上側）から給電側ソケット７０の給電ピン挿入溝７２に挿入し、ランプ保持部７１までスライドさせる。このとき、作業者が直管形ＬＥＤランプ２０の接地側ソケット３０に対する押し付けを解除すると、バネ４０の作用により接地側ソケット３０にはＰ２方向に移動させようとする力が加わる。そして、このバネ４０によるＰ２方向に押す力により、直管形ＬＥＤランプ２０のランプ長Ｌと、接地側ソケット３０の前面と給電側ソケット７０の前面との間の距離との誤差を吸収した位置で、接地側ソケット３０は安定する。
【００５７】
図８（ｂ）に示すように、接地側ソケット３０によって、取付面１４の裏側の面と取付足３３の爪部３４との間の距離Ｌ２の分だけ、接地側ソケット３０の前面と給電側ソケット７０の前面との間の距離の誤差を吸収することができる。その後、直管形ＬＥＤランプ２０の照射面が照射方向側（上側）にくるように９０°回転させると、給電ピン２６が給電側ソケット７０の導電金具７３（図７参照）と接続され直管形ＬＥＤランプ２０に電源が供給され発光する。
【００５８】
また、バネ４０の付勢により、接地側ソケット３０と給電側ソケット７０とが直管形ＬＥＤランプ２０に押し付けられ、直管形ＬＥＤランプ２０との接続を確実にするとともに、はずれや落下等の防止となる。
【００５９】
以上で、直管形ＬＥＤランプ２０を器具本体１１に装着する方法についての説明を終わる。
【００６０】
直管形ＬＥＤランプ２０の取り外しは、上記取り付け順序とは逆の手順となる。つまり作業者は、直管形ＬＥＤランプ２０を接地側ソケット３０に押し付け、接地側ソケット３０側に移動させながら給電側ソケット７０から給電ピン２６を外す。そして、次に、接地側ソケット３０から接地ピン２３を外す。このように、最後まで接地側口金２１（接地ピン２３）と接地金具５０とは接続されることとなり、感電保護性能に優れている。
【００６１】
実施の形態２．
本実施の形態は、実施の形態１の接地金具５０とは異なる接地金具６０を備える接地側ソケット１０１について説明する。
【００６２】
図９は、実施の形態２に係る接地側ソケット１０１の分解斜視図である。図９は図３に対応する図であり、図３と同様の構成部については同一の符号を付し、その説明を省略する。
【００６３】
図９において、実施の形態１の図３と異なる構成は接地金具６０（導電金具）である。接地金具６０は、ソケット本体３８の内部に設けられ、前記接地ピン挿入孔３２を通過した接地ピン２３の先端部である楕円部２３ｂと接触する。前記接地ピン２３の楕円部２３ｂが接地金具６０と接触するとともに、接地金具６０の接地ピン当接部６２を後面３５ａ側に押す。この押す力により、前記接地ピン２３の楕円部２３ｂは、位置を前後方向に移動させることができる。
【００６４】
図９に示すように、接地金具６０は、接地ピン挿入孔３２と相対する位置に、接地ピン当接部６２を備える。また、接地ピン当接部６２は、ランプ当接方向（前後方向）に可動する弾性力をもち、接地ピン２３の楕円部２３ｂと面接触で接続する。接地ピン当接部６２は、接地ピン挿入孔３２側になだらかに突き出した曲面をなす形状である。接地ピン当接部６２は、接地ピン２３の楕円部２３ｂに押し付けられると、接地ピン２３の楕円部２３ｂにより裏蓋３５方向に凹むとともに、接地ピン２３の楕円部２３ｂを押し返す力も有する弾性体である。
【００６５】
接地ピン当接部６２は、接地ピン２３の楕円部２３ｂにより裏蓋３５方向に押し付けられると、弾性力によりＬ７分の距離だけ裏蓋３５方向に移動できるものとする。また、実施の形態１の図８（ｂ）で説明したように、ソケット本体３８はバネ４０によりＬ２分取付面１４方向に移動できるので、接地側ソケット１０１に取り付けられる直管形ＬＥＤランプ２０は、（Ｌ２＋Ｌ７）分、前後方向に移動可能である。
【００６６】
本実施の形態に係る接地側ソケット１０１によれば、バネ４０とあわせることで、ランプ長Ｌのバラツキによる吸収量を向上させることができる。
【００６７】
以上、実施の形態１〜２について説明したが、これらの２つの実施の形態を組み合わせて実施しても構わない。あるいは、これらのうち、１つの実施の形態を部分的に実施しても構わない。あるいは、これらの２つの実施の形態を部分的に組み合わせて実施しても構わない。
【符号の説明】
【００６８】
１０  照明器具、１１  器具本体、１２  反射部、１３，１３ｂ，１３ｃ  取付孔、１４  取付面、２０  直管形ＬＥＤランプ、２０ａ  ケース、２１  接地側口金、２２  接地側受金当接部、２３  接地ピン、２３ａ  円柱部、２３ｂ  楕円部、２４  給電側口金、２５  給電側受金当接部、２６  給電ピン、２６ａ  軸部、２６ｂ  抜け止め部、３０  接地側ソケット、３１，３１ｂ，３１ｃ  側面、３１ｄ  上面、３１ｅ  底面、３２  接地ピン挿入孔、３３，３３ｂ，３３ｃ  取付足、３４，３４ｂ，３４ｃ  爪部、３５  裏蓋、３５ａ  後面、３６ａ  引っ掛け受部、３６ｂ  引っ掛け爪、３６ｃ  爪係合部、３６ｄ  電線挿入孔、３７  突起部、３８  ソケット本体、３９  本体、３９ａ  前面、４０  バネ、４１  カバー取付孔、４２  足貫通孔、４４  付勢部、４５  端部、５０，５０ａ，５０ｂ  接地金具、５１，５１ａ，５１ｂ  速結端子、５２，５２ａ，５２ｂ  接地ピン保持部、６０  接地金具、６１  速結端子部、６２  接地ピン当接部、７０  給電側ソケット、７１  ランプ保持部、７２  給電ピン挿入溝、７３  導電金具、７５  本体、７６  裏蓋、７６ｂ  引っ掛け爪、７６ｃ  爪係合部、７７  取付足、７８  速結端子。
【図１】
0005780900.tif 000002
【図２】
0005780900.tif 000003
【図３】
0005780900.tif 000004
【図４】
0005780900.tif 000005
【図５】
0005780900.tif 000006
【図６】
0005780900.tif 000007
【図７】
0005780900.tif 000008
【図８】
0005780900.tif 000009
【図９】
0005780900.tif 000010